(57)【要約】【課題】点字の作成、点字の作成時における点字の確認作業が容易な点筆、ガイド及び点字器を提供すること。【解決手段】凹部を有する凹部材が配置される第一の支持部材と、凸部を有する第一の凸部材及び第二の凸部材が配置される第二の支持部材と、を有し、第一の支持部材と第二の支持部材は、凹部材と第一の凸部材が噛合及び離合可能となるよう連結されている点筆と、複数の凹部が形成された第一の基板と、第一の基板の上に、少なくとも一部において一定の距離をおいて配置され、第一の基板における複数の凹部に対応した窓部が形成されている第二の基板と、を有するガイドと、を有する点字器とする。【選択図】図１
2009015020.tif 000002
【特許請求の範囲】
【請求項１】
凹部を有する凹部材が配置される第一の支持部材と、
凸部を有する第一の凸部材及び第二の凸部材が配置される第二の支持部材と、を有し、
前記第一の支持部材と前記第二の支持部材は、前記凹部材と前記第一の凸部材が噛合及び離合可能となるよう連結されている点筆。
【請求項２】
複数の凹部が形成された第一の基板と、
前記第一の基板の上に、少なくとも一部において一定の距離をおいて配置され、前記第一の基板における前記複数の凹部に対応した窓部が形成されている第二の基板と、を有するガイド。
【請求項３】
凹部を有する凹部材が配置される第一の支持部材と、凸部を有する第一の凸部材及び第二の凸部材が配置される第二の支持部材と、を有し、前記第一の支持部材と前記第二の支持部材は、前記凹部材と前記第一の凸部材が噛合及び離合可能となるよう連結されている点筆と、
複数の凹部が形成された第一の基板と、前記第一の基板の上に、少なくとも一部において一定の距離をおいて配置され、前記第一の基板における前記複数の凹部に対応した窓部が形成されている第二の基板と、を有するガイドと、を有する点字器。
【発明の詳細な説明】
【技術分野】
【０００１】
本発明は、点筆、ガイド及び点字器に関する。
【背景技術】
【０００２】
従来の点字器には、突起を有する点筆と、凹みの並ぶ点字板で紙を挟み、凸点を形成するものがある。しかしながら、このような点字器で形成される点字は、点字形成者にとって紙の裏側に凸点が形成されるため、点字が確認しにくいといった課題がある。
【０００３】
これに対し、公知の技術として、例えば下記特許文献１には、凹部を有する点筆と、突起の並ぶ点字板で紙を挟むことで凸点を形成する技術が記載されている。
【０００４】
【特許文献１】特開２００７−６５６０４号公報
【発明の開示】
【発明が解決しようとする課題】
【０００５】
しかしながら、上記特許文献１に記載の技術においても、点字作成者が点字を作成しながら点字を確認していく上で解決する課題が残る。
【０００６】
そこで、本発明は、上記課題を解決し、点字の作成、点字の作成時における点字の確認作業が容易な点筆、ガイド及び点字器を提供することを目的とする。
【課題を解決するための手段】
【０００７】
本発明者らは、上記課題について鋭意検討を行っていたところ、点筆に点字を作成させる凹部及び凸部を配置することでガイドを簡略化させることが可能となる点に着目して本発明を完成させるに至った。
【０００８】
即ち、本発明の一手段に係る点筆は、凹部を有する凹部材が配置される第一の支持部材と、凸部を有する第一の凸部材及び第二の凸部材が配置される第二の支持部材と、を有し、第一の支持部材と第二の支持部材は、凹部材と第一の凸部材が噛合及び離合可能となるよう連結されている。
【０００９】
また、本発明の他の一手段に係るガイドは、複数の凹部が形成された第一の基板と、第一の基板の上に、少なくとも一部において一定の距離をおいて配置され、第一の基板における複数の凹部に対応した窓部が形成されている第二の基板と、を有する。
【００１０】
また、本発明の他の一手段に係る点字器は、凹部を有する凹部材が配置される第一の支持部材と、凸部を有する第一の凸部材及び第二の凸部材が配置される第二の支持部材と、を有し、第一の支持部材と前記第二の支持部材は、凹部材と前記第一の凸部材が噛合及び離合可能となるよう連結されている点筆と、
複数の凹部が形成された第一の基板と、前記第一の基板の上に、少なくとも一部において一定の距離をおいて配置され、前記第一の基板における前記複数の凹部に対応した窓部が形成されている第二の基板と、を有するガイドと、を有する。
【発明の効果】
【００１１】
以上本発明によると、点字の作成、点字の作成時における点字の確認作業が容易な点筆、ガイド及び点字器を提供することができる。
【発明を実施するための最良の形態】
【００１２】
以下、本発明の実施の形態について、詳細に説明するが、本発明は多くの異なる態様による実施が可能であり、以下に示す実施形態、実施例の記載そのものに限定されるものでないことは言うまでもない。
【００１３】
（実施形態１）
図１は、本実施形態に係る点字器１の概略を示すための図である。図１によると、本実施形態に係る点字器１は、点筆１１と、ガイド１２と、を有して構成される。
【００１４】
本実施形態において、点筆１１は、凹部を有する凹部材１１１１が配置される第一の支持部材１１１と、凸部を有する第一の凸部材１１２１及び第二の凸部材１１２２が配置される第二の支持部材１１２と、を有し、第一の支持部材１１１と第二の支持部材１１２は、凹部材１１１１と第一の凸部材１１２１が噛合及び離合可能となるよう連結されている。
【００１５】
本実施形態において、第一の支持部材１１１と第二の支持部材１１２は、凹部材１１１１と第一の凸部材１１２１の間に紙を挟んで噛合させることでこの紙に圧力を加え、紙に凹凸すなわち点字を形成することができる。従って、凹部材の凹部の形状、第一の凸部材における凸部の形状は噛合が可能である限り限定されないが、例えば半球状の凹又は凸となっていることは好ましい態様である。また第一の支持部材１１１と第二の支持部材１１２は、上記機能を奏する限り限定されないが、例えば図２で示す第三の支持部材１１３を介して連結させてもよいし、図３で示すようにトングのように一体に形成させてもよい。
【００１６】
本実施形態において、第二の凸部材１１２２は、限定されるわけではないが、ガイド２における凹部と組み合わされ、文字の位置決めに有効に機能するものである。形状としては限定されるわけではないが丸みを帯びた半球状であることは好ましい一態様である。ガイドとの組み合わせの詳細については、後述する。なお、第二の凸部材１１２２の位置は、限定されるわけではないが、当該機能の観点から、第一の凸部材１１２１の位置とほぼ同様の位置ではあるが、第二の支持部材１１２における第一の支持部材と反対の側に配置されていることが好ましい態様である。
【００１７】
また、本実施形態において、第二の支持部材１１２においては、第一の凸部材１１２１と第一の支持部材１１１の凹部材１１１１とが噛合された場合において紙が第一の凸部材１１２１に嵌り込んでしまい点筆移動作業において支障が生じないように、紙を凹部材側に押し返す反発部１１２３が形成されていることが好ましい。この反発部１１２３が形成された場合の部分拡大図を図４に示す。また、後述するガイドとの関係で、第二の支持部材１１２の先端部は、薄い板状に形成されていることが好ましい一態様である。
【００１８】
また、本実施形態において、ガイド１２は、点筆１１をガイドし、点字作成位置を決定するのに有用なものである。具体的には、複数の凹部１２１１が形成された第一の基板１２１と、第一の基板１２１の上に、少なくとも一部において一定の距離をおいて配置され、第一の基板における複数の凹部に対応した窓部１２２１が形成されている第二の基板１２２と、を有する。ガイドの構成の概略を示す図を図５に、その断面図の概略を図６にそれぞれ示す。
【００１９】
本実施形態において、第一の基板１２１には複数の凹部１２１１が形成されている。これは点筆１１における第二の凸部材１１２２と噛合されるものであり、点字作成者は点筆１１における第二の凸部材１１２２を複数の凹部１２１１のいずれかに噛合させることで凹凸を作成する位置を定めることができる。なお図７に、第一の基板１２１における複数の凹部１２１１の配置の例を示しておく。図７で示すように、複数の凹部１２１１は、例えば点仮名遣いに使用できるよう、３行２列の組を一定の距離を置いて複数配置することは好ましい一態様である。また、図７の例では、点字を作成する位置の自由度をあげることができるよう文章一行分の例を示しているが、複数あっても当然によい。なお、凹部１２１１の形状は、限定されるわけではないが、半球状であることは、点筆１１における第二の凸部１１２２の移動をよりスムーズにする上で有用である。
【００２０】
また本実施形態において、第二の基板１２２は、上記のとおり第一の基板における複数の凹部に対応した窓部１２２１が形成されているこの窓１２２１があることで、点字作成者は点字を形成する位置を確認できるとともに、凹部材１１１１をこの窓部１２２１に合わせることでより正確な位置に点字を形成することができるようになる。図７の例を採用した場合の例を用いてより具体的に説明すると、窓１２２１は、３行２列の組毎に対応して複数形成されていることが好ましい。なお、この第二の基板１２２の厚さは、限定されるわけではないが、作成した点字を点字作成者が読めるようにするため、点字の盛り上がりの高さよりも低くしておくことが好ましい一態様である。この高さとしては、限定されることはないが、０．５ｍｍ高の点字を採用した場合、概ね０．３ｍｍ以下であることが好ましく、より好ましくは０．２ｍｍ以下である。
【００２１】
なお、本実施形態において、第一の基板１２１及び第二の基板１２２は、少なくとも一部において固定されていることが好ましいが、第一の基板１２１と第二の基板１２２との間に紙を挿入する必要があるため、少なくとも一辺は解放されていることが好ましい態様である。
【００２２】
また本実施形態において、第一の基板１２１と第二の基板１２２との間には、中に挿入する紙を安定的に配置させるためにサポーター１２３を配置しておくことは好ましい態様である。なおサポーター１２３を設けた場合、点筆１１の第二の支持部材１１２はサポーター１２３と第一の基板１２１との間に挿入することが好ましい一態様である。
【００２３】
点字作成者は、上記の点筆１１及びガイド１２を用いて点字及びそれを用いた文章を作成することができる。つまり、点字作成者は、ガイド１２に紙を挿入し、紙とガイド１２との間に点筆１１の第二の支持部材１１２を滑り込ませ、第二の支持部材１１２における第二の凸部材１１２２をガイド１２における複数の凹部のいずれかと噛合させて位置を定め、第一の凸部材１１２１と第一の支持部材１１１における凹部材１１１１と噛合させて点字を形成する。点字作成者はこれを繰り返して文章を作成することができる。本実施形態によると、点字を作成させる凹凸を点筆に配置するとともに、第二の凸部も設けることでガイドとの位置決め作業を容易とすることができるようになる。更に、このように簡便な構成とすることで、点字表面に配置されるガイド１２における第二の基板１２２（紙を上面から抑える部材）の厚さを薄くすることが可能となり、これを置いた場合でも文章を作成しながらその簡単に確認を行うことができるようになる。このように確認しながら点字作成を行うことで点字学習が容易になることも期待できる。また点筆１１のみで一点を形成することができるため、これを用いて自由に点図などを作成することができる。
【００２４】
以上、本実施形態によると、点字の作成、点字の作成時における点字の確認作業が容易な点筆、ガイド及び点字器を提供することができる。
【産業上の利用可能性】
【００２５】
本発明は、点筆、ガイド及び点字器として産業上の利用可能性がある。
【図面の簡単な説明】
【００２６】
【図１】実施形態に係る点字器の例を示す図である。
【図２】点筆の一例の側面の概略を示す図である。
【図３】点筆の他の例の側面の概略を示す図である。
【図４】点筆の反発部近傍を示す図である。
【図５】ガイドの概略を示す図である。
【図６】ガイドの概略を示す断面図である。
【図７】ガイドの凹部の例を示す図である。
【図１】
2009015020.tif 000003
【図２】
2009015020.tif 000004
【図３】
2009015020.tif 000005
【図４】
2009015020.tif 000006
【図５】
2009015020.tif 000007
【図６】
2009015020.tif 000008
【図７】
2009015020.tif 000009